(57)【要約】【課題】アプリケーションやデータをアイコンとして画面上に表示可能な装置において、画面上のアイコンの混雑を防ぐとともに、どのファイルが不要であり消去されようとしているかが容易に判断できるアイコン表示システムを提供することを目的とする。【解決手段】アプリケーションやデータをアイコンとして画面上に表示可能な装置において、アイコンの保存期限等のパラメータを設定し、パラメータに応じて画面上のアイコンの表示位置を制御する。【選択図】        図１
2004355199.tif 000002
【特許請求の範囲】
【請求項１】
アプリケーションやデータをアイコンとして画面上に表示可能な装置において、アイコンの保存期限を設定する保存期限設定手段と、設定したパラメータを記憶するアイコン情報記憶手段と、アイコン情報パラメータからパラメータを比較し画面上の表示順位を制御する状態判定制御手段と、比較手段からの情報をもとにアイコンの画面上の表示位置を決定する表示位置制御手段と、上記表示位置制御手段により決定された画面上の位置へアイコンを表示する表示手段と、表示手段を制御するための表示制御手段、を備えたことを特徴とするアイコン表示装置。
【請求項２】
アイコン表示装置において、
現在時刻を取得する現在時刻取得手段と、現在時刻とアイコン情報パラメータとを比較する状態判定制御手段と、比較手段からの情報をもとにアイコンの画面上の表示位置を決定する表示位置制御手段と、上記表示位置制御手段により決定された画面上の位置へアイコンを表示する表示手段と、表示手段を制御するための表示制御手段、を備えたことを特徴とする請求項１に記載のアイコン表示装置。
【請求項３】
アイコン表示装置において、
保存期限設定手段より設定されアイコン情報記憶手段に記憶されているアイコン情報パラメータが、状態判定制御手段により保存期限が過ぎていると判断された場合に、所定の位置・フォルダへ、アイコン及びアイコンデータを移動させるファイル移動制御部を備えたことを特徴とする請求項１または２に記載のアイコン表示装置。
【請求項４】
アイコン表示装置において、
画面上に一時保存領域を設け、上記保存期限設定部によりなんらかの期限が設定されているアイコンをその領域内へ移動させる事を特徴とする請求項１ないし３のいずれかに記載のアイコン表示装置。
【請求項５】
アイコン表示装置において、
上記状態判定制御部により設定された画面上の表示位置順位をもとに、一時保存領域内のある点から順番に並べることを特徴とする請求項４に記載のアイコン表示装置。
【請求項６】
アイコン表示装置において、
画面上のアイコンを、アイコン情報パラメータをもとに決定された一時保存領域内のある点から距離Ｌだけ離れた距離へ表示することを特徴とする請求項５に記載のアイコン表示装置。
【請求項７】
アイコン表示装置において、
上記一時保存領域内のある点にフォルダを用意し、上記保存期限設定部で設定された保存期限を越えるものをフォルダ内へ移動することを特徴とする請求項６に記載のアイコン表示装置。
【請求項８】
アプリケーションやデータをアイコンとして画面上に表示可能な装置において、アイコンの保存期限を設定する保存期限設定手段と、設定したパラメータを記憶するアイコン情報記憶手段と、アイコン情報パラメータからパラメータを比較し画面上の表示順位を制御する状態判定制御手段と、比較手段からの情報をもとにアイコンの画面上の表示位置を決定する表示位置制御手段と、上記表示位置制御手段により決定された画面上の位置へアイコンを表示する表示手段と、表示手段を制御するための表示制御手段、を備えたことを特徴とするアイコン表示方法。
【請求項９】
アイコン表示装置において、
現在時刻を取得する現在時刻取得手段と、現在時刻とアイコン情報パラメータとを比較する状態判定制御手段と、比較手段からの情報をもとにアイコンの画面上の表示位置を決定する表示位置制御手段と、上記表示位置制御手段により決定された画面上の位置へアイコンを表示する表示手段と、表示手段を制御するための表示制御手段、を備えたことを特徴とする請求項８に記載のアイコン表示方法。
【請求項１０】
アイコン表示装置において、
保存期限設定手段より設定されアイコン情報記憶手段に記憶されているアイコン情報パラメータが、状態判定制御手段により保存期限が過ぎていると判断された場合に、所定の位置・フォルダへ、アイコン及びアイコンデータを移動させるファイル移動制御部を備えたことを特徴とする請求項８または９に記載のアイコン表示方法。
【請求項１１】
アイコン表示装置において、
画面上に一時保存領域を設け、上記保存期限設定部によりなんらかの期限が設定されているアイコンをその領域内へ移動させる事を特徴とする請求項８ないし１０のいずれかに記載のアイコン表示方法。
【請求項１２】
アイコン表示装置において、
上記状態判定制御部により設定された画面上の表示位置順位をもとに、一時保存領域内のある点から順番に並べることを特徴とする請求項１１に記載のアイコン表示方法。
【請求項１３】
アイコン表示装置において、
画面上のアイコンを、アイコン情報パラメータをもとに決定された一時保存領域内のある点からの距離Ｌだけ離れた距離へ表示することを特徴とする請求項１２に記載のアイコン表示方法。
【請求項１４】
アイコン表示装置において、
上記一時保存領域内のある点にフォルダを用意し、上記保存期限設定部で設定された保存期限を越えるものをフォルダ内へ移動することを特徴とする請求項１３に記載のアイコン表示方法。
【請求項１５】
アプリケーションやデータをアイコンとして画面上に表示可能な装置において、アイコンの保存期限を設定する保存期限設定手段と、設定したパラメータを記憶するアイコン情報記憶手段と、アイコン情報パラメータからパラメータを比較し画面上の表示順位を制御する状態判定制御手段と、比較手段からの情報をもとにアイコンの画面上の表示位置を決定する表示位置制御手段と、上記表示位置制御手段により決定された画面上の位置へアイコンを表示する表示手段と、表示手段を制御するための表示制御手段、を備えたことを特徴とするアイコン表示方法を、読み出し可能なプログラムの形態で記憶した事を特徴とする記憶媒体。
【請求項１６】
アイコン表示装置において、
現在時刻を取得する現在時刻取得手段と、現在時刻とアイコン情報パラメータとを比較する状態判定制御手段と、比較手段からの情報をもとにアイコンの画面上の表示位置を決定する表示位置制御手段と、上記表示位置制御手段により決定された画面上の位置へアイコンを表示する表示手段と、表示手段を制御するための表示制御手段、を備えたことを特徴とする請求項１５に記載の記憶媒体。
【請求項１７】
アイコン表示装置において、
保存期限設定手段より設定されアイコン情報記憶手段に記憶されているアイコン情報パラメータが、状態判定制御手段により保存期限が過ぎていると判断された場合に、所定の位置・フォルダへ、アイコン及びアイコンデータを移動させるファイル移動制御部を備えたことを特徴とする請求項１５または１６に記載の記憶媒体。
【請求項１８】
アイコン表示装置において、
画面上に一時保存領域を設け、上記保存期限設定部によりなんらかの期限が設定されているアイコンをその領域内へ移動させる事を特徴とする請求項１５ないし１７のいずれかに記載の記憶媒体。
【請求項１９】
アイコン表示装置において、
上記状態判定制御部により設定された画面上の表示位置順位をもとに、一時保存領域内のある点から順番に並べることを特徴とする請求項１８に記載の記憶媒体。
【請求項２０】
アイコン表示装置において、
画面上のアイコンを、アイコン情報パラメータをもとに決定された一時保存領域内のある点からの距離Ｌだけ離れた距離へ表示することを特徴とする請求項１９に記載の記憶媒体。
【請求項２１】
アイコン表示装置において、
上記一時保存領域内のある点にフォルダを用意し、上記保存期限設定部で設定された保存期限を越えるものをフォルダ内へ移動することを特徴とする請求項２０に記載の記憶媒体。
【請求項２２】
アプリケーションやデータをアイコンとして画面上に表示可能な装置において、アイコンの保存期限を設定する保存期限設定手段と、設定したパラメータを記憶するアイコン情報記憶手段と、アイコン情報パラメータからパラメータを比較し画面上の表示順位を制御する状態判定制御手段と、比較手段からの情報をもとにアイコンの画面上の表示位置を決定する表示位置制御手段と、上記表示位置制御手段により決定された画面上の位置へアイコンを表示する表示手段と、表示手段を制御するための表示制御手段、を備えたことを特徴とするアイコン表示方法を、読み出し可能なプログラムの形態で記憶した事を特徴とするプログラム。
【請求項２３】
アイコン表示装置において、
現在時刻を取得する現在時刻取得手段と、現在時刻とアイコン情報パラメータとを比較する状態判定制御手段と、比較手段からの情報をもとにアイコンの画面上の表示位置を決定する表示位置制御手段と、上記表示位置制御手段により決定された画面上の位置へアイコンを表示する表示手段と、表示手段を制御するための表示制御手段、を備えたことを特徴とする請求項２２に記載のプログラム。
【請求項２４】
アイコン表示装置において、
保存期限設定手段より設定されアイコン情報記憶手段に記憶されているアイコン情報パラメータが、状態判定制御手段により保存期限が過ぎていると判断された場合に、所定の位置・フォルダへ、アイコン及びアイコンデータを移動させるファイル移動制御部を備えたことを特徴とする請求項２２または２３に記載のプログラム。
【請求項２５】
アイコン表示装置において、
画面上に一時保存領域を設け、上記保存期限設定部によりなんらかの期限が設定されているアイコンをその領域内へ移動させる事を特徴とする請求項２２ないし２４のいずれかに記載のプログラム。
【請求項２６】
アイコン表示装置において、
上記状態判定制御部により設定された画面上の表示位置順位をもとに、一時保存領域内のある点から順番に並べることを特徴とする請求項２５に記載のプログラム。
【請求項２７】
アイコン表示装置において、
画面上のアイコンを、アイコン情報パラメータをもとに決定された一時保存領域内のある点からの距離Ｌだけ離れた距離へ表示することを特徴とする請求項２６に記載のプログラム。
【請求項２８】
アイコン表示装置において、
上記一時保存領域内のある点にフォルダを用意し、上記保存期限設定部で設定された保存期限を越えるものをフォルダ内へ移動することを特徴とする請求項２７に記載のプログラム。
【発明の詳細な説明】
【０００１】
【発明の属する技術分野】
本発明は、データやアプリケーションのファイルを画面上にアイコンとして表示するグラフィカルインタフェースを持ち、アイコンに関するパラメータに応じてアイコンの画面上の表示位置を変更する方法・装置及びプログラムを記憶した記憶媒体、およびプログラムに関するものである。
【０００２】
【従来の技術】
従来のグラフィカルユーザインタフェースでは画面上にアプリケーションやデータ、データへのショートカットなどを視覚的にあらわす事のできるアイコン表示機能を備えている事が一般的である。このようなアイコンを用いたグラフィカルインタフェースは、目的のアイコンが画面上で直感的に視覚で認識・選択できるため、初心者でも簡単で分かりやすい操作環境を実現する事が可能であった。
【０００３】
【特許文献１】
特開平０１−１８０６５０号公報
【０００４】
【発明が解決しようとする課題】
しかしながら従来のアイコン表示方法では、その分かりやすいインタフェースがためにアプリケーション、データ等に関連付けられているアイコンファイルのうち通常よく使用するものについてはデスクトップ上に置き、常に表示させているものが多い。これらのアイコンは使用していくうちにどんどん増えてゆき、ユーザは画面上にたくさんのアイコンを表示させ、その結果画面上にはアイコンが溢れ返ることが多々あった。
【０００５】
そのため画面上にはほとんどアクセスされない使用頻度の低いもの、不要なアイコンも増えてゆき、ユーザは目的のアイコンを探すのに時間がかかり、操作効率を下げる要因となっていた。アイコンを整理しようにも溢れ返るアイコンの中からではどれが重要なアイコンであるか判断する基準となるものがなかったため、そのままアイコンは放置されることとなり、その結果ますます画面上のアイコンは増えていくという悪循環になっていた。
【０００６】
従来よりこのような問題を解決するための方法として、入力日時と現在日時の比較により所定時間経過しているファイルを抽出しファイル削除に利用する情報記憶装置が知られている。
【０００７】
しかしながら従来のファイル管理システムではファイルの自動削除については制御するものの、ユーザが直接目にする画面表示、アイコン表示に関しては触れられておらず、上記課題を解決するには至ってなかった。
【０００８】
つまりアイコンが画面上に溢れ返るといった課題は解決されておらず、ユーザがどのアイコンが不要であるかを画面上で視覚的に判断できる手段が望まれていた。
【０００９】
よって本発明は上述の点を鑑み、画面上のアイコンの混雑を防ぐとともに、どのファイルが不要であり消去されようとしているかが容易に判断できるデスクトップ表示システムを提供する事を目的とする。
【００１０】
【課題を解決するための手段】
上記の目的を達成するために請求項１に係る本発明は、アプリケーションやデータをアイコンとして画面上に表示可能な装置において、アイコンの保存期限を設定する保存期限設定手段と、設定したパラメータを記憶するアイコン情報記憶手段と、アイコン情報パラメータからパラメータを比較し画面上の表示順位を制御する状態判定制御手段と、比較手段からの情報をもとにアイコンの画面上の表示位置を決定する表示位置制御手段と、上記表示位置制御手段により決定された画面上の位置へアイコンを表示する表示手段と、表示手段を制御するための表示制御手段を備える。
【００１１】
請求項２に係る本発明は、請求項１に記載のアイコン表示装置において、現在時刻を取得する現在時刻取得手段と、現在時刻とアイコン情報パラメータとを比較する状態判定制御手段と、比較手段からの情報をもとにアイコンの画面上の表示位置を決定する表示位置制御手段と、上記表示位置制御手段により決定された画面上の位置へアイコンを表示する表示手段と、表示手段を制御するための表示制御手段、を備える。
【００１２】
請求項３に係る本発明、は請求項１または請求項２に記載のアイコン表示装置において、
保存期限設定手段より設定されアイコン情報記憶手段に記憶されているアイコン情報パラメータが、状態判定制御手段により保存期限が過ぎていると判断された場合に、所定の位置・フォルダへ、アイコン及びアイコンデータを移動させる手段を備える。
【００１３】
請求項４に係る本発明、は請求項１ないし３のいずれかに記載のアイコン表示装置において、
画面上に一時保存領域を設け、上記保存期限設定部によりなんらかの期限が設定されているアイコンをその領域内へ移動させる。
【００１４】
請求項５に係る本発明は、請求項４に記載のアイコン表示装置において、
上記状態判定制御部により設定された画面上の表示位置順位をもとに、一時保存領域内のある点から順番に並べる。
【００１５】
請求項６に係る本発明は、請求項５に記載のアイコン表示装置において、
画面上のアイコンを、アイコン情報パラメータをもとに決定された一時保存領域内のある点から距離Ｌだけ離れた距離へ表示する。
【００１６】
請求項７に係る本発明は、請求項６に記載のアイコン表示装置において、
上記一時保存領域内のある点にフォルダを用意し、上記保存期限設定部で設定された保存期限を越えるものをフォルダ内へ移動する。
【００１７】
請求項８に係る本発明は、アプリケーションやデータをアイコンとして画面上に表示可能な装置において、アイコンの保存期限を設定する保存期限設定手段と、設定したパラメータを記憶するアイコン情報記憶手段と、アイコン情報パラメータからパラメータを比較し画面上の表示順位を制御する状態判定制御手段と、比較手段からの情報をもとにアイコンの画面上の表示位置を決定する表示位置制御手段と、上記表示位置制御手段により決定された画面上の位置へアイコンを表示する表示手段と、表示手段を制御するための表示制御手段、を備える表示方法である。
【００１８】
請求項９に係る本発明は、請求項８に記載のアイコン表示装置において、
現在時刻を取得する現在時刻取得手段と、現在時刻とアイコン情報パラメータとを比較する状態判定制御手段と、比較手段からの情報をもとにアイコンの画面上の表示位置を決定する表示位置制御手段と、上記表示位置制御手段により決定された画面上の位置へアイコンを表示する表示手段と、表示手段を制御するための表示制御手段、を備える表示方法である。
【００１９】
請求項１０に係る本発明は、請求項８または９に記載のアイコン表示装置において、
保存期限設定手段より設定されアイコン情報記憶手段に記憶されているアイコン情報パラメータが、状態判定制御手段により保存期限が過ぎていると判断された場合に、所定の位置・フォルダへ、アイコン及びアイコンデータを移動させる。
【００２０】
請求項１１に係る本発明は、請求項８ないし１０のいずれかに記載のアイコン表示装置において、画面上に一時保存領域を設け、上記保存期限設定部によりなんらかの期限が設定されているアイコンをその領域内へ移動させる。
【００２１】
請求項１２に係る本発明は、請求項１１に記載のアイコン表示装置において、上記状態判定制御部により設定された画面上の表示位置順位をもとに、一時保存領域内のある点から順番に並べる。
【００２２】
請求項１３に係る本発明は、請求項１２に記載のアイコン表示装置において、画面上のアイコンを、アイコン情報パラメータをもとに決定された一時保存領域内のある点からの距離Ｌだけ離れた距離へ表示する。
【００２３】
請求項１４に係る本発明は、請求項１３に記載のアイコン表示装置において、上記一時保存領域内のある点にフォルダを用意し、上記保存期限設定部で設定された保存期限を越えるものをフォルダ内へ移動する。
【００２４】
請求項１５に係る本発明は、アプリケーションやデータをアイコンとして画面上に表示可能な装置において、アイコンの保存期限を設定する保存期限設定手段と、設定したパラメータを記憶するアイコン情報記憶手段と、アイコン情報パラメータからパラメータを比較し画面上の表示順位を制御する状態判定制御手段と、比較手段からの情報をもとにアイコンの画面上の表示位置を決定する表示位置制御手段と、上記表示位置制御手段により決定された画面上の位置へアイコンを表示する表示手段と、表示手段を制御するための表示制御手段、を備えたことを特徴とするアイコン表示方法を、読み出し可能なプログラムの形態で記憶した記憶媒体である。
【００２５】
請求項１６に係る本発明は、請求項１５に記載のアイコン表示装置において、現在時刻を取得する現在時刻取得手段と、現在時刻とアイコン情報パラメータとを比較する状態判定制御手段と、比較手段からの情報をもとにアイコンの画面上の表示位置を決定する表示位置制御手段と、上記表示位置制御手段により決定された画面上の位置へアイコンを表示する表示手段と、表示手段を制御するたの表示制御手段、を備える記憶媒体である。
【００２６】
請求項１７に係る本発明は、請求項１５または１６に記載のアイコン表示装置において、保存期限設定手段より設定されアイコン情報記憶手段に記憶されているアイコン情報パラメータが、状態判定制御手段により保存期限が過ぎていると判断された場合に、所定の位置・フォルダへ、アイコン及びアイコンデータを移動させるファイル移動制御部を備える記憶媒体である。
【００２７】
請求項１８に係る本発明は、請求項１５ないし１７のいずれかに記載のアイコン表示装置において、画面上に一時保存領域を設け、上記保存期限設定部によりなんらかの期限が設定されているアイコンをその領域内へ移動させる事を特徴とする記憶媒体である。
【００２８】
請求項１９に係る本発明は、請求項１８に記載のアイコン表示装置において、上記状態判定制御部により設定された画面上の表示位置順位をもとに、一時保存領域内のある点から順番に並べることを特徴とする記憶媒体である。
【００２９】
請求項２０に係る本発明は、請求項１９に記載のアイコン表示装置において、画面上のアイコンを、アイコン情報パラメータをもとに決定された一時保存領域内のある点からの距離Ｌだけ離れた距離へ表示することを特徴とする記憶媒体である。
【００３０】
請求項２１に係る本発明は、請求項２０に記載のアイコン表示装置において、上記一時保存領域内のある点にフォルダを用意し、上記保存期限設定部で設定された保存期限を越えるものをフォルダ内へ移動することを特徴とする記憶媒体である。
【００３１】
請求項２２に係る本発明は、アプリケーションやデータをアイコンとして画面上に表示可能な装置において、アイコンの保存期限を設定する保存期限設定手段と、設定したパラメータを記憶するアイコン情報記憶手段と、アイコン情報パラメータからパラメータを比較し画面上の表示順位を制御する状態判定制御手段と、比較手段からの情報をもとにアイコンの画面上の表示位置を決定する表示位置制御手段と、上記表示位置制御手段により決定された画面上の位置へアイコンを表示する表示手段と、表示手段を制御するたの表示制御手段、を備えたことを特徴とするアイコン表示方法を、読み出し可能なプログラムの形態で記憶した事を特徴とするプログラムである。
【００３２】
請求項２３に係る本発明は、請求項２２に記載のアイコン表示装置において、現在時刻を取得する現在時刻取得手段と、現在時刻とアイコン情報パラメータとを比較する状態判定制御手段と、比較手段からの情報をもとにアイコンの画面上の表示位置を決定する表示位置制御手段と、上記表示位置制御手段により決定された画面上の位置へアイコンを表示する表示手段と、表示手段を制御するたの表示制御手段、を備えたことを特徴とするプログラムである。
【００３３】
請求項２４に係る本発明は、請求項２２または２３に記載のアイコン表示装置において、保存期限設定手段より設定されアイコン情報記憶手段に記憶されているアイコン情報パラメータが、状態判定制御手段により保存期限が過ぎていると判断された場合に、所定の位置・フォルダへ、アイコン及びアイコンデータを移動させるファイル移動制御部を備えたことを特徴とするプログラムである。
【００３４】
請求項２５に係る本発明は、請求項２２ないし２４のいずれかに記載のアイコン表示装置において、画面上に一時保存領域を設け、上記保存期限設定部によりなんらかの期限が設定されているアイコンをその領域内へ移動させる事を特徴とするプログラムである。
【００３５】
請求項２６に係る本発明は、請求項２５に記載のアイコン表示装置において、上記状態判定制御部により設定された画面上の表示位置順位をもとに、一時保存領域内のある点から順番に並べることを特徴とするプログラムである。
【００３６】
請求項２７に係る本発明は、請求項２６に記載のアイコン表示装置において、画面上のアイコンを、アイコン情報パラメータをもとに決定された一時保存領域内のある点からの距離Ｌだけ離れた距離へ表示することを特徴とするプログラムである。
【００３７】
請求項２８に係る本発明は、請求項２７に記載のアイコン表示装置において、上記一時保存領域内のある点にフォルダを用意し、上記保存期限設定部で設定された保存期限を越えるものをフォルダ内へ移動することを特徴とするプログラムである。
【００３８】
【発明の実施の形態】
以下、本発明の実施例について図面を参照して詳細に説明する。
【００３９】
図１は本発明を適用した表示装置の全体構成図である。
【００４０】
図１においてアイコン表示装置は、アプリケーションやデータをアイコンとして画面上に表示可能な表示部９と、アイコンの保存期限を設定する保存期限設定部５と、設定したパラメータを記憶するアイコン情報記憶部７と、アイコン情報パラメータからパラメータを比較しまたは現在時刻とアイコン情報パラメータとの比較により画面上の表示順位を制御する状態判定制御部２と、比較手段からの情報をもとにアイコンの画面上の表示位置を決定する表示位置制御部４と、上記表示位置制御部４により決定された画面上の位置へアイコン表示を制御するための表示制御部８と、現在時刻を取得する現在時刻取得部６と、保存期限設定部５より設定されアイコン情報記憶手段に記憶されているアイコン情報パラメータが状態判定制御部２により保存期限が過ぎていると判断された場合に所定の位置・フォルダへアイコン及びアイコンデータを移動させるファイル移動制御部３とから構成される。
【００４１】
図２は、本発明の実施例におけるアイコン情報記憶部７の構成及び記憶内容の一例を示す図である。
【００４２】
図３は、本発明の実施例における保存期限設定部に格納するために入力部１から入力されるグラフィカルユーザインタフェースの画面表示例である。
【００４３】
図３において入力部１により入力されたアイコン情報は、アイコン情報記憶部７に記憶される。
【００４４】
図４は本実施例における処理手順を示したフローチャートである。
【００４５】
ステップＳ１において、アイコン情報記憶部７より有効期限のあるアイコンを取得する。ステップＳ２において、Ｓ１より取得したアイコンの有効期限が切れていると判断された場合には移動または消去を選択する（Ｓ３）。移動、消去の判断はその場で行ってもよいし、もちろん予め設定しておいても構わない。ステップＳ４において、Ｓ３にて移動が選択されている場合には、ファイル移動制御部３によりアイコン及びアイコンデータを設定パスへ移動させる。Ｓ３にて消去が選択されている場合には、ファイル移動制御部３によりアイコン及びアイコンデータを消去する（Ｓ５）。
【００４６】
ファイルの移動が終了したら表示部９におけるアイコンの表示位置を変更する（Ｓ６）。
【００４７】
ステップＳ９において、アイコン情報記憶部７に記憶されているデータに基づき、アイコンデータを、設定パラメータ順にソートする（Ｓ９）。ソート設定パラメータの設定例としては、有効期限順、残りアクセス回数可能順、更新頻度順、等を挙げる事が出来る。パラメータはユーザが任意に設定する事ができる。
【００４８】
ステップＳ１０において、表示位置制御部４により、Ｓ９においてソートされたアイコンの表示位置を設定する。
【００４９】
ステップＳ１１において、Ｓ１０にて決定されたアイコン表示情報を表示のためにアイコン情報記憶部７へ書き換える。
【００５０】
ステップＳ７において、Ｓ１１にて書き換えられたアイコン情報記憶部７のパラメータを基に、表示制御部８で画面表示を制御する。
【００５１】
図６〜図９は、表示位置制御部により表示部９上のアイコン表示位置が設定された場合の画面表示を示す例である。
【００５２】
図６〜図９上には、一時保存領域Ａがあり、保存期限の設定されているアイコンは一定保存領域Ａ内に配置される。
【００５３】
図６では、一時保存領域Ａ内の左上から右下へむかってＳ９でソートされた順番で並べられる。
【００５４】
図７では、一時保存領域Ａ内のある位置Ｏから距離Ｌ１〜Ｌ６だけ離れた位置へアイコンが表示されている事を示す図である。距離Ｌは例えば以下のようにして決める事が出来る。
【００５５】
一時保存領域内の点Ｏからの距離の最大値をＬｍａｘとすると、距離Ｌは、
Ｌ＝Ｌｍａｘ×（残り保存期間／最大保存期間）
で求める事が出来る。
【００５６】
ここで図８は、図６において、一時保存領域Ａの右下にゴミ箱のような一時的フォルダを用意し、保存期限の切れたアイコンを一定期間ゴミ箱Ｂ内に格納して置けるフォルダを表示した場合の画面表示例である。こうすることにより、保存期限の設定されているファイルが知らない間に消去されていた、ということを防ぐ事が出来る。
【００５７】
図９は画面中央にＢを置き、そこからソートされた順に渦巻状にアイコンを配置した場合の画面表示例である。
【００５８】
ステップ７において、表示制御部８により制御されたアイコン表示情報を、表示部９に表示する。
【００５９】
【発明の効果】
以上説明したとおり、本発明によれば、画面上のアイコンの混雑を防ぐとともに、どのファイルが不要であり消去されようとしているかが容易に判断できるアイコン表示システムを提供する事が出来る。
【図面の簡単な説明】
【図１】本発明の一実施例であるアイコン表示装置の全体構成例を示す図
【図２】本発明の実施例におけるアイコン情報記憶部７の構成及び記憶内容の一例を示す図
【図３】本発明の実施例における保存期限設定部設定時の画面表示例を示す図
【図４】本実施例におけるアイコン表示処理手順を示したフローチャート
【図５】アイコン表示位置変更のサブルーチン処理を示すフローチャート
【図６】本発明におけるアイコン表示の一画面構成例を示す図
【図７】本発明におけるアイコン表示の一画面構成例を示す図
【図８】本発明におけるアイコン表示の一画面構成例を示す図
【図９】本発明におけるアイコン表示の一画面構成例を示す図
【符号の説明】
１  入力部
２  状態判定制御部
３  ファイル移動制御部
４  表示位置制御部
５  保存期限設定部
６  現在時刻取得部
７  アイコン情報記憶部
８  表示制御部
９  表示部
１０  一時保存領域Ａ
１１  ゴミ箱Ｂ
【図１】
2004355199.tif 000003
【図２】
2004355199.tif 000004
【図３】
2004355199.tif 000005
【図４】
2004355199.tif 000006
【図５】
2004355199.tif 000007
【図６】
2004355199.tif 000008
【図７】
2004355199.tif 000009
【図８】
2004355199.tif 000010
【図９】
2004355199.tif 000011